(57)【要約】【課題】  簡略な構造の部材を用いて、ノズルから流出する液体を、液滴ないし飛沫にする消泡ノズルを提供する。【解決手段】  液体を流出する管１の開口部の、液体の流出方向と垂直な方向に、板状部材３を配し、開口部から流出した液体の板状部材３への衝突により、液体を液滴ないし飛沫化する。板状部材３には、直径が２ｍｍ以上、５ｍｍ以下の複数の貫通孔を、２ｍｍ以上、１０ｍｍ以下の間隔で設けることで、板状部材３衝突以外の手段でも、液体の飛沫化が可能であり、板状部材３最小部の寸法を、液体を流出する管１の内径の２倍以上、４倍以下、開口部と板状部材３距離を、液体を流出する管１の内径の２倍以上４倍以下とすることにより、管内の液体の流動状態の変化にも対応できる。【選択図】図１
2019034294.tif 000002
【特許請求の範囲】
【請求項１】
液体を流出する管の開口部の、液体の流出方向と垂直な方向に、板状部材を配し、前記開口部から流出した液体の前記板状部材への衝突により、液体を液滴ないし飛沫化する機能を有することを特徴とする消泡ノズル。
【請求項２】
前記板状部材には、直径が２ｍｍ以上、５ｍｍ以下の複数の貫通孔が、２ｍｍ以上、１０ｍｍ以下の間隔で設けられてなることを特徴とする、請求項１に記載の消泡ノズル。
【請求項３】
前記板状部材の最小部の寸法は、前記開口部の最大部の寸法の２倍以上、４倍以下であり、前記開口部と板状部材の距離は、前記開口部の最大部の寸法の２倍以上、４倍以下であることを特徴とする、請求項１また請求項２に記載の消泡ノズル。
【請求項４】
請求項１ないし請求項３のいずれかに記載の、消泡ノズルの複数が、環状に構成したフープ構造を備えた、前記消泡ノズルに液体を導入する管に接続されていることを特徴とする、液体注入手段。
【発明の詳細な説明】
【技術分野】
【０００１】  本発明は、種々の容器に液体を注入するためのノズルに関するもので、特に消泡機能を備えたノズルと、それを用いた液体注入手段に関するものである。
【背景技術】
【０００２】  例えば、排水処理設備や発電所の冷却水の放出などでは、大量の水を扱うため、泡の発生が問題となることがある。また、容器に充填して販売する飲料においても、内部の酸素の残存が品質低下に繋がるので、泡の除去が必要になる。【０００３】  このような分野の先行技術として特許文献１には、タンク内を回転循環するチェーンと、チェーンに連結すると共に、撥水面を有する移動板と、タンクの内壁に連結された軸を回転軸として、揺動可能に配置された揺動板とを備え、移動板がチェーンの駆動に応じて移動する際に、移動板の面と揺動板の面が接触するように配置されている消泡装置が開示されている。【０００４】  また、特許文献２には、容器内に充填された内容物表面の上方から泡沫を破壊するパルス状音波を放射する音響導波管を有する消泡装置であって、音響導波管は、内容物表面側の開口側下端縁が水平面に対して傾斜して設けられ、開口側下端縁の傾斜側の最下方には、外周側に延びる誘導片を有し、誘導片の下端縁は、外周側に向かって開口側下端縁と同方向に傾斜していることを特徴とする、飲料を容器に詰める際に用いられる消泡装置が開示されている。【０００５】  しかし、これらの消泡装置は、いずれも多数の機器を組わせて構成され、コンパクト化やイニシャルコストの低減の観点から課題が多い。本発明者は、数トン／日程度の処理能力を備えた水処理装置の開発に携わっているが、処理の対象となる水は、有機物や浮遊固形物が含まれるため、タンクに注入する際に泡の発生が多くなる傾向がある。【０００６】  この場合の泡が発生する要因として、処理水を内径の大きなホースなどから、直接タンクに注入すると、面で巻き込む空気の量が多くなり、しかも処理水に含まれる有機物が界面活性剤にように機能して、表面張力が小さくなることが考えられる。【０００７】  このような現象に鑑みると、処理水を液滴や飛沫の状態で注入することで、泡の発生を抑制できる可能性があり、例えば浴室で用いられるシャワーのノズルを用いることが考えられる。しかし、シャワーのノズルは平板に細径の貫通孔を設けた構造なので、浮遊固形物を含む処理水では、目詰まりが発生し、頻繁なメンテナンスが必要となる。
【先行技術文献】
【特許文献】
【０００８】
【特許文献１】特開２０１６−１４０８３５号公報
【特許文献２】特開２０１５−０３９６８２号公報
【発明の概要】
【発明が解決しようとする課題】
【０００９】  従って、本発明の課題は、簡略な構造の部材を用いて、ノズルから流出する水を、液滴ないし飛沫にする方法を提供することである。
【課題を解決するための手段】
【００１０】  即ち、本発明は、液体、例えば水を流出する管の開口部の、水の流出方向と垂直な方向に、板状部材を配し、前記開口部から流出した水の前記板状部材への衝突により、水を液滴ないし飛沫化する機能を有することを特徴とする消泡ノズルである。【００１１】  また、本発明は、前記板状部材に、直径が２ｍｍ以上、５ｍｍ以下の複数の貫通孔が、２ｍｍ以上、１０ｍｍ以下の間隔で設けられてなることを特徴とする、前記の消泡ノズルである。【００１２】  また、本発明は、前記板状部材の最小部の寸法が、前記開口部の最大部の寸法の２倍以上、４倍以下であり、前記開口部と板状部材の距離は、前記開口部の最大部の寸法の２倍以上、４倍以下であることを特徴とする、前記の消泡ノズルである。【００１３】  また、本発明は、前記の、消泡ノズルの複数が、環状に構成したフープ構造を備えた、前記消泡ノズルに液体を導入する管に接続されていることを特徴とする、液体注入手段である。
【発明の効果】
【００１４】  本発明に係る消泡ノズルは、前記のように、水の流出方向に、板状部材を水の流出方向とは垂直に取り付けただけの簡単な構造であり、注水に用いる管の開口部近くに、適当な支持部材を介して板状部材を取り付けるだけで、簡単に製作できる。また、板状部材に適当な大きさの貫通孔を設けることで、水の跳ね返り以外でも、水を液滴ないし飛沫にできるので、効率向上の効果が期待できる【００１５】  板状部材の大きさと、開口部からの距離を限定した理由は、条件によって、水の流動形態に変化が生じることによる。つまり、流量が少ない状態では、管内の水の流れは層流を呈し、開口部から放出された水が、開口部の径よりも拡がることはないが、流量が多くなり、管内の水の流れが乱流を呈すると、開口部から拡がった状態で水が放出されることがあるからである。【００１６】  板状部材に貫通孔を設ける場合に、直径を２ｍｍ以上、５ｍｍ以下にしたのは、この範囲より小さいと、表面張力のため液滴が垂れ落ちにくくなるためであり、この範囲より大きいと、液体の飛沫形成が困難になるからである。【００１７】  また、一般的に液体を注入するためのノズルを、一方の端が閉塞された管に複数接続すると、閉塞された端の方が液体の圧力が高くなって、各ノズルから流出する量が不均一になることがあるが、本発明者の検討結果によると、この対策として環状に構成したフープ構造の管に接続することが有効であることが明らかとなった。したがって、本発明の消泡ノズルの使用に際しても、このような構成の液体注入手段として用いるのが望ましい。
【図面の簡単な説明】
【００１８】
【図１】  本発明に係る消泡ノズルの一例の構成を示す斜視図。
【図２】  本発明に係る消泡ノズルの一例の各部の寸法比の例を示す図。
【図３】  本発明に係る消泡ノズルの製作例を示す図。
【図４】  本発明に係る液体注入手段の一例を示す図。
【発明を実施するための形態】
【００１９】  次に本発明の実施の形態について、具体的な図を参照しながら説明する。
【００２０】  図１は、本発明に係る消泡ノズルの一例の構成を示す斜視図である。図１において、１は注入管、２は支持部材、３は板状部材、４は流出水、５は、液滴ないし飛沫である。ここに示したように、注入管１から放出された流出水４は、板状部材３に衝突して跳ね返り、液滴ないし飛沫５となって水面に落下する。
【００２１】  図２は、本発明に係る消泡ノズルの一例の各部の寸法比の例を示す図である。ここに示した板状部材３は円盤形状であり、図２において、ｄ１は注入管１の内径、ｄ２は板状部材３の径、ｈは注入管１の開口部と板状部材３との距離である。本発明者らに検討結果によると、前記のようにｄ２及びｈは、ｄ１の２倍以上、４倍以下とすることが望ましいが、ここに示した例では、ｄ１が２０ｍｍ、ｈ及びｄ２が６０ｍｍである。
【００２２】  図３は、本発明に係る消泡ノズルの製作例を示す図で、図３（ａ）は正面図、図３（ｂ）は底面図である。ここに示した例は、板材を打ち抜いたり、折り曲げたりして構成した部材を、溶接などの手段を用いることなく、ネジで接合するだけで組み立てられるようにしたもので、６は注入管、７は板状部材、８ａ、８ｂはブラケット、９は支持部材、９ａ、９ｂは支持部材を構成する板材に９０°の折り曲げ加工を施した折り曲げ部、１０ａはボルト、１０ｂはナットである。
【００２３】  図３に示した注入管６は塩化ビニル製で、板状部材７、ブラケット８ａ、８ｂ、支持部材９には、錆を考慮するとステンレス板を用いることが望ましい。
【００２４】  図４は、本発明に係る液体注入手段の一例を示す図で、図４（ａ）は平面図、図４（ｂ）は正面図である。図４において、１１はフープ構造の液体導入管、１２液体導入口、１３ａ、１３ｂ、１３ｃは、消泡ノズルである。ここに示した例は、管を四角形の環状に構成し、３箇の消泡ノズルが接続されている。このような構成とすることで個々のノズルに加わる液体の圧力の均一化が図れ、液体の流出量の偏りを抑制できる。
【００２５】  以上に説明したように、本発明によれば、極めて簡略な構造で、必要な機能を備えた消泡ノズルを提供することが可能となり、様々な分野の水処理の効率化に寄与できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１，６・・・注入管      ２，９・・・支持部材      ３，７・・・板状部材
４・・・流出水      ５・・・液滴ないし飛沫      ８ａ，８ｂ・・・ブラケット
９ａ，９ｂ・・・折り曲げ部      １０ａ・・・ボルト      １０ｂ・・・ナット
【図１】
2019034294.tif 000003
【図２】
2019034294.tif 000004
【図３】
2019034294.tif 000005
【図４】
2019034294.tif 000006
【手続補正書】
【提出日】平成30年1月31日(2018.1.31)
【手続補正１】
【補正対象書類名】特許請求の範囲
【補正対象項目名】請求項１
【補正方法】変更
【補正の内容】
【請求項１】
液体を流出する管の開口部の液体の流出方向と垂直な方向に、板状部材を配し、前記開口部から流出した液体の前記板状部材への衝突により、液体を液滴ないし飛沫化する機能を有する消泡ノズルにおいて、前記板状部材は、前記開口部近傍の前記管の外周に固定され、端部に折り曲げ加工を施してなる支持部材の、前記端部に載置されてなることを特徴とする消泡ノズル。
【手続補正２】
【補正対象書類名】明細書
【補正対象項目名】００１０
【補正方法】変更
【補正の内容】
【００１０】  即ち、本発明は、液体、例えば水を流出する管の開口部の、水の流出方向と垂直な方向に、板状部材を配し、前記開口部から流出した液体の前記板状部材への衝突により、液体を液滴ないし飛沫化する機能を有する消泡ノズルにおいて、前記板状部材は、前記開口部近傍の前記管の外周に固定され、端部に折り曲げ加工を施してなる支持部材の、前記端部に載置されてなることを特徴とする消泡ノズルである。
【手続補正３】
【補正対象書類名】明細書
【補正対象項目名】００１８
【補正方法】変更
【補正の内容】
【００１８】
【図１】  本発明に係る消泡ノズルの一例の構成を示す斜視図。
【図２】  本発明に係る消泡ノズルの一例の各部の寸法比の例を示す図。
【図３】  本発明に係る消泡ノズルの製作例を示す図。
【手続補正４】
【補正対象書類名】明細書
【補正対象項目名】００２４
【補正方法】変更
【補正の内容】
【００２４】  そして、前記のように、環状に構成したフープ構造の液体導入管を用いることにより、液体導入管に、図３に示した消泡ノズルを複数接続しても、個々のノズルに加わる液体の圧力の均一化が図れ、液体の流出量の偏りを抑制できる。
【手続補正５】
【補正対象書類名】図面
【補正対象項目名】図４
【補正方法】削除
【補正の内容】
【手続補正書】
【提出日】平成30年7月31日(2018.7.31)
【手続補正１】
【補正対象書類名】特許請求の範囲
【補正対象項目名】請求項１
【補正方法】変更
【補正の内容】
【請求項１】
液体を流出する管の開口部の液体の流出方向と垂直な方向に、板状部材を配し、前記開口部から流出した液体の前記板状部材への衝突により、液体を液滴ないし飛沫化する機能を有する消泡ノズルにおいて、前記板状部材は、前記開口部近傍の前記管の外周に固定され、端部に折り曲げ加工を施してなる支持部材の、前記端部に固定されてなることを特徴とする消泡ノズル。
【手続補正２】
【補正対象書類名】明細書
【補正対象項目名】００１０
【補正方法】変更
【補正の内容】
【００１０】  即ち、本発明は、液体、例えば水を流出する管の開口部の、水の流出方向と垂直な方向に、板状部材を配し、前記開口部から流出した液体の前記板状部材への衝突により、液体を液滴ないし飛沫化する機能を有する消泡ノズルにおいて、前記板状部材は、前記開口部近傍の前記管の外周に固定され、端部に折り曲げ加工を施してなる支持部材の、前記端部に固定されてなることを特徴とする消泡ノズルである。
【手続補正３】
【補正対象書類名】明細書
【補正対象項目名】００２４
【補正方法】変更
【補正の内容】
【００２４】図４に示した通り、管を四角形の環状に構成し、３箇の消泡ノズルが接続することで個々のノズルに加わる液体の圧力の均一化が図れ、液体の流出量の偏りを抑制できる。
【手続補正４】
【補正対象書類名】明細書
【補正対象項目名】００２６
【補正方法】変更
【補正の内容】
【００２６】１，６・・・注入管      ２，９・・・支持部材      ３，７・・・板状部材
４・・・流出水      ５・・・液滴ないし飛沫      ８ａ，８ｂ・・・ブラケット
９ａ，９ｂ・・・折り曲げ部      １０ａ・・・ボルト      １０ｂ・・・ナット
［符号の追加説明］
１１・・・液体導入管      １２・・・液体導入口      １３ａ，１３ｂ，１３ｃ・・・消泡ノズル      ｄ１・・・注入管１の内径      ｄ２・・・板状部材３の径
【手続補正５】
【補正対象書類名】図面
【補正対象項目名】全図
【補正方法】変更
【補正の内容】
【図１】
2019034294.tif 000007
【図２】
2019034294.tif 000008
【図３】
2019034294.tif 000009
【図４】
2019034294.tif 000010
【手続補正書】
【提出日】平成30年10月3日(2018.10.3)
【手続補正１】
【補正対象書類名】手続補正書
【補正対象項目名】手続補正６
【補正方法】追加
【補正の内容】
【手続補正６】
【補正対象書類名】明細書
【補正対象項目名】００１８
【補正方法】変更
【補正の内容】
【００１８】
【図１】  本発明に係る消泡ノズルの一例の構成を示す斜視図。
【図２】  本発明に係る消泡ノズルの一例の各部の寸法比の例を示す図。
【図３】  本発明に係る消泡ノズルの製作例を示す図。
【図４】  本発明に係る液体注入手段の一例を示す図。
【手続補正書】
【提出日】平成30年12月3日(2018.12.3)
【手続補正１】
【補正対象書類名】明細書
【補正対象項目名】００１８
【補正方法】変更
【補正の内容】
【００１８】
【図１】  本発明に係る消泡ノズルの一例の構成を示す斜視図。
【図２】  本発明に係る消泡ノズルの一例の各部の寸法比の例を示す図。
【図３】  本発明に係る消泡ノズルの製作例を示す図。
【手続補正２】
【補正対象書類名】明細書
【補正対象項目名】００２６
【補正方法】変更
【補正の内容】
【００２６】１，６・・・注入管      ２，９・・・支持部材      ３，７・・・板状部材
４・・・流出水      ５・・・液滴ないし飛沫      ８ａ，８ｂ・・・ブラケット
９ａ，９ｂ・・・折り曲げ部      １０ａ・・・ボルト      １０ｂ・・・ナット
［符号追加説明］
ｄ１・・・注入管１の内径      ｄ２・・・板状部材３の径
【手続補正３】
【補正対象書類名】図面
【補正対象項目名】図４
【補正方法】削除
【補正の内容】